(57)【要約】  サービングセクタおよび１つ以上の非サービングセクタとの間でソフト／ソフターハンドオーバ状態にある移動機に向かうフォワードリンクに送信電力を割り当てる方法であって、移動機が報告するサービングセクタに関するチャネル品質情報を非サービングセクタが受信するステップと、報告されたチャネル品質情報に応じて非サービングセクタで移動機に向かうフォワードリンクに送信電力を割り当てるステップを含む。移動機に関して非サービングセクタのそれぞれはサービングセクタより無線状態が悪いとの想定のもとに、非サービングセクタは、報告されたサービングセクタのチャネル品質情報は、移動機向けの電力割り当ての下限を規定すると見なしてもよい。従って、所与の移動端末に対して非サービング送信機として動作している基地局送受信機は、サービングセクタのチャネル品質情報を使用し移動機に向かうフォワードリンクの送信電力割り当てを決定することができる。【選択図】図４
2007535867.tif 000002
【特許請求の範囲】
【請求項１】
無線通信ネットワークの１つのサービングセクタおよび１つ以上の非サービングセクタに能動的に関係している移動局に対してフォワードリンクの送信電力を割り当てる方法であって、
前記非サービングセクタにおいて、前記移動局から前記サービングセクタに報告されるチャネル品質情報を受信するステップと、
報告された前記チャネル品質情報の関数として、前記非サービングセクタにおける前記移動局へのフォワードリンクの送信電力を割り当てるステップと、
を含むことを特徴とする方法。
【請求項２】
報告された前記チャネル品質情報の関数として、前記非サービングセクタに電力を割り当てるステップは、
前記移動局に対して報告された前記チャネル品質情報に基づいて、フォワードリンクの送信電力の割当の下限を設定するステップと、
前記移動局に向かう１つ以上のフォワードリンクのチャネルに、前記下限以上のフォワードリンクの送信電力を割り当てるステップと、
を含むことを特徴とする請求項１に記載の方法。
【請求項３】
前記移動局に向かう１つ以上のフォワードリンクのチャネルに、前記下限以上のフォワードリンクの送信電力を割り当てるステップは、前記下限への予め設定された電力マージンの追加に基づいてフォワードリンクの送信電力を割り当てるステップを含むことを特徴とする請求項２に記載の方法。
【請求項４】
前記移動局に向かう１つ以上のフォワードリンクのチャネルに、前記下限以上のフォワードリンクの送信電力を割り当てるステップは、
前記下限と前記移動局に対するセクタのアクティブセットを決定するために使用される受信信号レベル設定に関係している上限との間からの送信電力レベルの選択に基づいてフォワードリンクの送信電力を割り当てるステップを含むことを特徴とする請求項２に記載の方法。
【請求項５】
報告された前記チャネル品質情報の関数として、前記非サービングセクタにおける前記移動局へのフォワードリンクの送信電力を割り当てるステップは、
報告された前記チャネル品質情報に基づいて、各々の非サービングセクタ内の１つ以上のフォワードリンクチャネルのフォワードリンクの送信電力を割り当てるステップを含むことを特徴とする請求項１に記載の方法。
【請求項６】
報告された前記チャネル品質情報に基づいて、各々の非サービングセクタ内の１つ以上のフォワードリンクチャネルのフォワードリンクの送信電力を割り当てるステップは、
フォワードリンクの速度制御チャネル、フォワードリンクの肯定応答チャネルおよびフォワードリンクの送信電力制御チャネルの１つ以上に対して電力の割当を決定するステップを含むことを特徴とする請求項５に記載の方法。
【請求項７】
報告された前記チャネル品質情報の関数として、前記非サービングセクタにおける前記移動局へのフォワードリンクの送信電力を割り当てるステップは、
平滑化されたチャネル品質値を得るために報告された前記チャネル品質情報をフィルタするステップと、
各々の非サービングセクタについて、前記チャネル品質値に基づいて前記移動局へのフォワードリンクの送信電力を割り当てるステップと、
を含むことを特徴とする請求項１に記載の方法。
【請求項８】
移動局は１つ以上の非サービングセクタとの間でソフターハンドオフの状態にあり、
前記１つ以上の非サービングセクタについて、報告された前記チャネル品質情報の関数として、前記非サービングセクタにおけるフォワードリンクの送信電力を割り当てるステップは、さらに、
報告された前記チャネル品質情報に基づき、かつ、前記サービングセクタのパイロット信号のターゲットのチャネル品質に基づいて、前記移動局へのフォワードリンクの送信電力を割り当てるステップを含むことを特徴とする請求項１に記載の方法。
【請求項９】
さらに、前記１つ以上の非サービングセクタの各々において、
前記サービングセクタのパイロット信号のターゲットの報告されたチャネル品質情報を受信するステップと、
前記非サービングセクタおよび前記サービングセクタの期待される信号品質に関連するメトリックを決定するステップと、
報告された前記チャネル品質情報と前記メトリックとに基づいて前記非サービングセクタにおけるフォワードリンクの送信電力を割り当てるステップと、
を含むことを特徴とする請求項１に記載の方法。
【請求項１０】
報告された前記チャネル品質情報の関数として、前記非サービングセクタにおける前記移動局へのフォワードリンクの送信電力を割り当てるステップは、
各々の非サービングセクタにおいて、チャネル優先度に基づきかつ報告された前記チャネル品質情報に基づいて前記移動局に対する１つ以上のフォワードリンクチャネルの各々の送信電力を設定するステップを含むことを特徴とする請求項１に記載の方法。
【請求項１１】
報告された前記チャネル品質情報の関数として、前記非サービングセクタにおける前記移動局へのフォワードリンクの送信電力を割り当てるステップは、
各々の非サービングセクタにおいて、報告された前記チャネル品質情報に基づきかつ前記フォワードリンクチャネルに送信される異なるコマンドに関連付けられた１つ以上のコマンド優先度に基づいて前記移動局に対する少なくとも１つのフォワードリンクチャネルの送信電力を設定するステップを含むことを特徴とする請求項１に記載の方法。
【請求項１２】
報告された前記チャネル品質情報の関数として、前記非サービングセクタにおける前記移動局へのフォワードリンクの送信電力を割り当てるステップは、
各々の非サービングセクタにおいて、フォワードリンクチャネルの前記フォワードリンクの送信電力を制御するステップを含み、コマンドは報告された前記チャネル品質情報と前記フォワードリンクチャネルに送信される特定のコマンドに関連付けられている１つ以上のコマンド優先度との関数として前記移動局に送信されることを特徴とする請求項１に記載の方法。
【請求項１３】
前記移動局に送信される前記コマンドは、リバースリンクの送信速度の増減を前記移動局に選択的に指示する速度制御コマンドを含み、さらに、
同じ報告された前記チャネル品質情報に対し、アップ速度制御コマンドに比較しダウン速度制御コマンドが前記移動局により高い電力で送信されるように、アップ速度制御コマンドに比較しダウン速度制御コマンドにより高い優先度を割り当てるステップを含むことを特徴とする請求項１２に記載の方法。
【請求項１４】
所与の移動局に対して非サービングモード動作するとき、サービング基地局の移動局により報告されたチャネル品質情報に基づいてフォワードリンクの送信電力の割当を制御するように構成された無線送受信回路を含むことを特徴とする基地局。
【請求項１５】
前記無線送受信回路は、報告された前記チャネル品質情報に基づいてフォワードリンクの送信電力の割当の下限を設定するよう構成されることを特徴とする請求項１４に記載の基地局。
【請求項１６】
前記無線送受信回路は、報告された前記チャネル品質情報により設定された下限とアクティブセットとなる候補の基地局を識別するために前記移動局の使用のために定義されるアクティブセットの信号強度値により設定された上限との間の値に、前記フォワードリンクチャネルの送信電力の割当を設定するよう構成されることを特徴とする請求項１４に記載の基地局。
【請求項１７】
前記無線送受信回路は、報告された前記チャネル品質情報およびチャネル優先方式に基づいて、前記移動局に対する１つ以上のフォワードリンクチャネル信号の各々に対してフォワードリンクの送信電力を割り当てるよう構成されることを特徴とする請求項１４に記載の基地局。
【請求項１８】
前記無線送受信回路は、報告された前記チャネル品質情報に基づいて各々のフォワードリンクチャネル信号にフォワードリンクの送信電力を割り当てるための下限を設定するよう構成され、さらに、より高い優先度のチャネルに対し、より低い優先度のチャネルに対する電力より相対的に高い電力が割り当てられるように、前記チャネル優先方式の関数として前記フォワードリンクチャネル信号の前記フォワードリンクの電力の割当を設定するよう構成されることを特徴とする請求項１７に記載の基地局。
【請求項１９】
前記無線送受信回路は、前記移動局に対するサービング送受信機として動作している前記無線通信ネットワークの他の無線送受信機がスケールメトリックを計算するためにパイロット信号ターゲット情報を使用し、前記スケールメトリックの報告された前記チャネル品質情報により設定された電力の下限への適用に基づいて前記移動局に対する前記フォワードリンクの送信電力の割当を設定するよう構成されることを特徴とする請求項１４に記載の基地局。
【請求項２０】
前記無線送受信回路は、所与の移動局に対して非サービングモードとして動作しているとき、前記サービング基地局に前記移動局により報告された前記チャネル品質情報に基づいて、さらに、前記基地局から前記移動局へ送信されるコマンドに関連した１つ以上のコマンド優先度に基づいて、フォワードリンクの送信電力の割当を制御するよう構成されることを特徴とする請求項１４に記載の基地局。
【請求項２１】
前記無線送受信回路は、所与の移動局に対して非サービングモードとして動作しているとき、前記サービング基地局に前記移動局により報告された前記チャネル品質情報に基づいて、さらに、前記基地局から前記移動局へ送信される１つ以上のフォワードリンクチャネル信号に関連した１つ以上のチャネル優先度に基づいて、フォワードリンクの送信電力の割当を制御するよう構成されることを特徴とする請求項１４に記載の基地局。
【請求項２２】
現在移動局のアクティブセットに含まれている無線通信ネットワークの非サービングセクタにおける前記移動局に対するフォワードリンクの送信電力を制御する方法であって、
１つ以上の非サービング基地局送受信機の各々において、セクタの前記無線通信ネットワークの現在指定されているサービングセクタに対し前記移動局から報告されるチャネル品質情報を受信するステップと、
報告された前記チャネル品質情報に基づいて非サービング基地局から前記移動局に送信される１つ以上のフォワードリンクチャネルのフォワードリンクの送信電力を設定するステップと、
を含むことを特徴とする方法。
【請求項２３】
非サービング基地局送受信機の各々は、報告された前記チャネル品質情報に基づいて前記移動局に対するフォワードリンクの送信電力の割当の下限を計算することを特徴とする請求項２２に記載の方法。
【請求項２４】
非サービング基地局送受信機の各々は、前記移動局が基地局送受信機のアクティブセットを決定するために使用される信号強度の閾値に基づいて前記移動局に対するフォワードリンクの送信電力の割当の上限を計算することを特徴とする請求項２３に記載の方法。
【請求項２５】
非サービング基地局送受信機の各々は、現在指定されている前記サービングセクタと関連している前記移動局との間でソフターハンドオフの状態にあり、前記非サービング基地局送受信機の無線コンディションの前記サービング基地局送受信機の無線コンディションに対する比率に関連するスケールメトリックを計算するためのパイロット信号ターゲット情報を使用し、前記スケールメトリックの報告された前記チャネル品質情報から決定された電力の下限への適用に基づいて前記移動局に対するフォワードリンクの送信電力を割り当てることを特徴とする請求項２２に記載の方法。
【請求項２６】
さらに、追加的に前記移動局に送信される異なるコマンドに関連した異なるコマンド優先度に基づいて前記非サービング基地局送受信機から前記移動局への１つ以上のフォワードリンクチャネルに前記フォワードリンクの送信電力を設定するステップを含むことを特徴とする請求項２２に記載の方法。
【請求項２７】
さらに、追加的に前記移動局に送信される異なるフォワードリンクの送信チャネルに関連した異なるチャネル優先度に基づいて前記非サービング基地局送受信機から前記移動局への１つ以上のフォワードリンクチャネルに前記フォワードリンクの送信電力を設定するステップを含むことを特徴とする請求項２２に記載の方法。
【発明の詳細な説明】
【技術分野】
【０００１】
本発明は、一般に無線通信ネットワークに関するものであり、特にこの種のネットワークのフォワードリンクの送信電力制御に関するものである。
【背景技術】
【０００２】
典型的な無線通信ネットワークは、フォワード無線リンクおよびリバース無線リンクの双方でフィードバックに基づく電力制御を利用する。例えば、送信基地局は、移動機が報告する基地局のフォワードリンク送信に関する信号品質情報に基づき、所与の移動機に割り当てられるフォワードリンク送信電力を増減するよう構成してもよい。この種の電力制御の例示的実施形態では、基地局は割り当てられたフォワードリンク送信電力を動的に増加および減少し、無線状態が変化する中で移動機における目標（ターゲット）信号品質を維持する。
【０００３】
多くの場合、２つ以上のネットワーク無線基地局が移動機の現在位置から十分近い位置にあり、かなり低いエラー率を達成するのに十分な信号強度で移動機とデータを送受信できるであろう。ＣＤＭＡネットワークでは、同じまたは異なる無線基地局の２台以上の無線セクタ送受信機が、移動機からのリバースリンク送信を受信することはよく起こる。そのような受信の利点は、所与の基地局コントローラが制御するセクタ送受信機のどれか１台がデータを正しく受信すると、移動機からの送信は首尾よく受信されたと見なされることである。このマルチセクタ受信は、一般にソフトハンドオフ状態にあると呼ばれる。
【０００４】
ネットワークが２つ以上の無線セクタからフォワードリンクで移動機に送信するソフト・ハンドオフは、使用されることもあるし使用されないこともある。実際のところ、移動機がいくつかの候補となるセクタから最善のセクタとしていわゆる”サービング”セクタを動的に選択し、ネットワークがそのセクタ送信機から、移動機にフォワードリンク・データ（トラヒック）を送信することがよくある。移動機に対してその時点で最善の無線状態を有する送信機から移動機に信号を送信することにより、より速いデータ転送速度およびより低い送信電力レベルの両方またはいずれか一方が可能になり、ネットワークの効率が高まる。
【０００５】
サービングセクタを選ぶのに、移動機は送信機から送られるパイロット信号の受信強度を測定し、移動機に信号を送信するのにふさわしい候補である１組のセクタ送信機を特定する。すなわち、１組のセクタ送信機は、ネットワーク中の無線セクタ送信機のネットワークであり、その送信する信号は、フォワードリンクで移動機に信号を送信することが可能な候補と見なされるに十分な強度でその時点で移動機に到着している。移動機は、相対的な無線状態が変化するのに応じて、その候補の組に送信機を追加あるいは削除を行う。
【０００６】
ある種のネットワークでは、非サービングセクタも通常、１つまたは複数のフォワードリンク・チャネルで移動機に送信する。例えばＩＳ−２０００のリリースＤでは、非サービングセクタは、フォワードリンク・レート制御チャネル（Ｆ−ＲＣＣＨ）で移動機にリバースリンクの速度（レート）制御情報を報知し続けてもよい。さらに、非サービングセクタは、移動機からのリバースリンク・データ送信に対して、移動機にＡＣＫ／ＮＡＫフィードバックを提供してもよい。そのフィードバックが役に立つのは、移動機が送信する所与のデータをサービングセクタまたは非サービングセクタのどれか１つが首尾よく受信した場合、再送信が必要なくなるからである。
【発明の開示】
【発明が解決しようとする課題】
【０００７】
非サービング無線セクタから移動機へのフォワードリンク送信を管理する上で、電力制御の面で１つの難問が生じる。すなわち、移動機は、そのサービングセクタに関して決定する無線状態に基づき、サービングセクタに電力制御フィードバックを提供する。従って、移動機が提供するチャネル品質情報または他の受信信号強度のフィードバックは、サービングセクタに関する送信電力目標を直接規定するが、非サービングセクタに関しては、移動機向けのフォワードリンク送信電力を直接フィードバックに基づき割り当てる機構がないままである。
【課題を解決するための手段】
【０００８】
本発明は、無線通信ネットワークの非サービングセクタにフォワードリンク送信電力を割り当てる装置および方法を提供する。特定の移動機を利用可能にするネットワーク・セクタの集合である「アクティブセット」中の１つ以上のセクタの中から、所与のセクタが、常にサービングセクタに指定される。そのサービングセクタの無線基地局送受信機は、移動機が報告するサービングセクタに関するチャネル品質情報に基づき、移動機に送信中の１つ以上のフォワードリンク・チャネル信号に対するフォワードリンク送信電力の割り当てを制御する。本発明によれば、アクティブセットに含まれる非サービングセクタ送信機もこの報告されたチャネル品質情報を使用し、移動機に対するフォワードリンク送信電力の割り当てを制御する。
【０００９】
従って、本発明によれば、無線通信ネットワークの１つのサービングセクタおよび１つ以上の非サービングセクタと能動的にかかわっている移動機に対して、フォワードリンク送信電力を割り当てる例示的な方法は、非サービングセクタが移動機により報告されるサービングセクタに関するチャネル品質情報を受信するステップと、報告されたチャネル品質情報に応じて非サービングセクタが移動機へのフォワードリンク送信電力を割り当てるステップを含む。その割り当てに関して、報告されたチャネル品質情報は電力割り当ての下限を規定するとの想定に基づいてもよい。それは、移動機に対して非サービングセクタは、その時点でサービングセクタに指定されているセクタより無線状態が悪いと考えられるからである。
【００１０】
別の例示的実施形態では、その時点で移動機のアクティブセットに含まれる無線通信ネットワークの非サービングセクタが移動機へのフォワードリンク送信電力を制御する方法は、無線通信ネットワークのサービングセクタにその時点で指定されているセクタに関し移動機が報告するチャネル品質情報を、１台以上の非サービング基地局送受信機のそれぞれが受信するステップと、報告されたチャネル品質情報に基づき非サービング基地局送受信機から移動機に送信中の１つまたは複数のフォワードリンク・チャネルに対するフォワードリンク送信電力を設定するステップを含む。さらに、報告されたチャネル品質情報は、非サービングセクタ送信機において電力割り当てに対する下限を規定するのに使用しても良い。
【００１１】
上記の例示的方法を補完して、無線通信ネットワークで使用する例示的な基地局は、所与の移動機に対して非サービング・モードで運用しているとき、その移動機が報告するサービング基地局に関するチャネル品質情報に基づき、フォワードリンク送信電力の割り当てを制御するよう構成された無線送受信機回路を含む。基地局の無線送受信機回路は、報告されたチャネル品質情報に基づきフォワードリンク送信電力割り当ての下限を設定するよう構成してもよい、従って、送受信機回路がその移動機に対して非サービング・モードで運用しているとき、フォワードリンク送信電力割り当ては、移動機が報告するサービングセクタに関するチャネル品質情報をまだ基準にする。非サービング基地局送受信機は、自らのフォワードリンク送信電力割り当てをサービング基地局の割り当てと少なくとも同じかそれより高く設定するのが好ましい。もっと好ましいのは、移動機に対する無線状態はサービングセクタに関して報告された無線状態より悪いことを前提として、報告されたチャネル品質情報から定められる下限より上にフォワードリンク送信電力を割り当てることである。
【００１２】
もちろん、本発明は上記の特徴や利点に限られていない。以下の詳細記述を読み添付の図を閲覧するとき、本発明のさらなる特徴と利点を当業者なら理解するであろう。図では、ほぼ同じ要素にはほぼ同じ参照番号が割り当てられている。
【発明の効果】
【００１３】
所与の移動端末に対して非サービング送信機として動作している基地局送受信機は、サービングセクタのチャネル品質情報を使用し移動機に向かうフォワードリンクの送信電力割り当てを決定することができる。
【発明を実施するための最良の形態】
【００１４】
図１は例示的な無線通信ネットワーク１０の図であり、そのネットワークは移動機１２を例えばインターネットを含む公衆データ網（ＰＤＮ）または公衆交換電話網（ＰＳＴＮ）などの１つまたは複数の外部ネットワーク１４に通信的に結合するよう働く。図に示されているように、ネットワーク１０は、相当数の無線基地局１６およびそれを制御する基地局コントローラ１８を含み、さらに１つまたは複数のコア・ネットワーク（ＣＮ）２０も含む。そのコア・ネットワークには、パケット・データ通信を利用可能にするパケット交換コア・ネットワーク（ＰＳＣＮ）を含んでもよいし、また伝統的な回線交換により音声およびデータのアプリケーションを利用可能にする回線交換コア・ネットワーク（ＣＳＣＮ）を含んでもよい。
【００１５】
図１０には１台の基地局コントローラ１８と３つの無線基地局１６だけが描かれているが、その図は検討を簡単にするためであり、ネットワーク１０は実のところ、多数の基地局コントローラ１８を含むことができ、そのそれぞれがいくつもの無線基地局１６を制御できることは理解されるべきである。さらに言えば、実際の実装においてネットワーク１０は、ホーム・ロケーション・レジスタ（ＨＬＲ）、在圏ロケーション・レジスタ（ＶＬＲ）、認証／課金／アクセス（ＡＡＡ）サーバなどの明示的に描かれていないいくつものエンティティを含んでもよいことを、当業者なら理解するはずである。
【００１６】
ともかく、ネットワーク１０は運用中、１つまたは複数の無線基地局１６と移動機１２の間の無線通信を可能にする無線リンクを介して、移動機１２を外部ネットワーク１４に通信的に結合する。無線リンクは、１つまたは複数のフォワードリンク・チャネルならびに１つまたは複数のリバースリンク・チャネルを含み、望ましい変調フォーマットおよび信号プロトコルに準拠して構成される。例えば、ネットワーク１０は、ｃｄｍａ２０００標準、広帯域ＣＤＭＡ（ＷＣＤＭＡ）標準等に準拠して構成してもよい。
【００１７】
フォワードリンクで移動機１２に信号を送信する場合、ネットワーク１０は、１つまたは複数の無線セクタのそれぞれから信号を送信してもよい。例えば、図では、ネットワーク１０は、無線基地局１６−１、１６−２、１６−３の１つまたは複数のセクタ（Ｓ１、Ｓ２、Ｓ３）から移動機１２に送信してもよい。同様に、ネットワーク１０は、１つまたは複数の無線基地局１６のそれぞれの１つまたは複数のセクタを介して、移動機１２からのリバースリンク信号を受信してもよい。リバースリンクでのソフト・ハンドオフは、ネットワーク１０が異なる無線基地局１６に属する２つ以上のセクタを通じて移動機１２からのリバースリンク信号を受信すると定義してもよい。さらに、１つまたは複数の無線基地局１６は、リバースリンクで移動機１２とソフター・ハンドオフにあってもよく、その場合は、同じ無線基地局１６の２つ以上のセクタが移動機の「アクティブセット」に含まれている。
【００１８】
例示的な運用では、ネットワーク１０は、移動機１２に提供する信号強度の閾値を規定する。順に、移動機１２はその信号強度の閾値を使用し、移動機のアクティブセットに含めるネットワーク１０のセクタを特定する。運用中の無線状態の変化するとき、移動機１２は、各無線基地局１６の様々なセクタに見られる信号強度の変化に対応して、そのアクティブセットを変更する。
【００１９】
フォワードリンクで、移動機１２はいつでも複数のセクタから信号を受信してもよいしそうでなくてもよい。例えば、例示的な実施形態では、ネットワーク１０は、移動機１２にデータを送信するのに利用可能な無線セクタの中で最善のセクタとして動的に選ばれる「サービング」セクタから、移動機１２にデータを送信するよう構成される。すなわち、移動機１２に最高の品質の信号を提供できる無線基地局１６のセクタ送受信機がいつでも、移動機１２に信号を送信するために使用され得る。もちろん、サービングセクタは、無線状態の変化とそれに伴うアクティブセットに含まれるセクタの変更に応じて変化する。
【００２０】
図２はどれか１つの無線基地局１６の例示的な実施形態を表しており、その無線基地局１６は、無線基地局１６を基地局コントローラ１８に結合する制御／インタフェース回路３０、ならびに例えば送受信機回路３２−１とアンテナ組立品３４−１、送受信機回路３２−２とアンテナ組立品３４−２等の無線基地局１６の各無線セクタに対する無線セクタ送受信機回路３２および付随するアンテナ組立品３４を含む。図では、無線基地局のセクタ送受信機回路３２の少なくとも１つは、移動機１２に対して非サービングセクタ送受信機として動作しているが、無線状態の変化に応じて個別のセクタ送受信機のサービング／非サービング状態が変化することは理解されるべきである。
【００２１】
サービングセクタにおける移動機１２へのフォワードリンク送信電力の割り当てに関しては、サービングセクタのフォワードリンク送信電力は、移動機１２が受信するサービングセクタの１つまたは複数のフォワードリンク信号に対して、移動機１２が返信する受信信号品質情報に応じて明示的に設定されるように構成してもよい。すなわち、移動機１２は、所定の受信信号品質指標、測定された信号強度、測定された信号対干渉雑音比（ＳＩＮＲ）等を表すことができるチャネル品質指標（ＣＱＩ）値を返してもよい。順に、サービングセクタ無線基地局１６は返信されたＣＱＩ値を使用し、目標（ターゲット）パイロット送信電力を設定することができ、次いで、パイロット電力に関連して設定された送信電力で、トラヒック・チャネル信号などの１つまたは複数の追加のフォワードリンク・チャネル信号を移動機１２に送信する。
【００２２】
しかし、返信されたＣＱＩ値は、その時点のサービングセクタから移動機１２が受信した信号の信号品質だけを示す。従って、フォワードリンク信号が１つまたは複数の非サービングセクタから移動機１２へ送信されている場合、その信号送信のためにフォワードリンク送信電力を割り当てるのに使用できる移動機１２からの直接のフィードバックはない。例示的な実施形態では、ネットワーク１０は、サービングセクタ無線基地局１６および非サービングセクタ無線基地局１６から１つまたは複数のフォワードリンク制御チャネル信号を送信する。
【００２３】
例えば、ネットワーク１０は、少なくとも１つの実施形態においてＩＳ−２０００標準のリリースＤに準拠して構成されており、フォワードリンク・レート制御チャネル信号（Ｆ−ＲＣＣＨ）がサービングセクタおよび非サービングセクタから移動機１２へ送信される、ならびにフォワードリンク肯定応答チャネル信号（Ｆ−ＡＣＫＣＨ）がサービングセクタおよび非サービングセクタから移動機へ送信される、のうちの両方またはいずれか一方が行われる。
【００２４】
非サービングセクタから移動機１２へ送信する特定のチャネルに関係なく、非サービングセクタのフォワードリンク送信電力の割り当てレベルが高すぎる場合、各非サービング送受信機回路３２において有限のフォワードリンク電力資源が必要以上に消費され、総合的なシステム干渉が増加する。逆に、非サービングセクタのフォワードリンク送信電力の設定が低すぎる場合、移動機１２はその送信を確実に受信することができなくなる。ある種のコマンドを損失することは、他の種類のコマンドを損失する場合よりもっと重大なことがある。例えば、移動機からの前のデータ送信に対する確認応答チャネル・コマンドすなわちＡＣＫまたはＮＡＫの通知が損失すると、移動機１２が誤って同じデータの再送信を試みる事態を引起す。その誤った再試行は実効的なリバースリンク・データ転送速度を大幅に減少させ、システムの効率を低下させる。従って、非サービングセクタは、サービングセクタに関して報告されるＣＱＩに基づき、さらにチャネル／コマンド優先度の仕組（方法）に基づき、フォワードリンク送信電力を設定してもよい。
【００２５】
さらに一般的には、報告された情報は非サービングセクタではなくサービングセクタでの電力制御を意図しているが、本発明の提供する方法と装置は、非サービングセクタ無線基地局１６が、移動機１２が報告するチャネル品質情報に基づき移動機１２に向かうフォワードリンク送信電力の割り当てをインテリジェントに制御することを可能にする。図２は、各無線セクタ送受信機回路３２は１つまたは複数の処理回路３６含むよう構成してもよいことを示していた。これらの処理回路は、少なくとも非サービングセクタ運用に対し、および好ましくはサービングセクタ運用に対しても、フォワードリンク送信電力制御機能を提供するように構成してもよい
図３は、１つまたは複数の処理回路３６に関する例示的な処理回路の詳細を表しており、そこでは、処理回路３６は、電力コントローラ４０およびオプションの選択で移動機１２が報告するチャネル品質情報をフィルタするフィルタ回路４２を含む。処理回路３６は、ハードウェア、ソフトウェア、またはその組み合わせを含んでもよいが、移動機１２が報告するサービングセクタに関するチャネル品質情報に基づき非サービングセクタのフォワードリンク送信電力制御を実行するよう構成される。もちろん、所与の送受信機回路３２は、あるときは非サービングセクタ送受信機として動作しており、無線状態の変化に依存して別のときはサービングセクタ送受信機として動作していてもよいことは理解されるべきである。実際、あるセクタが一旦移動機のアクティブセットから外されると、関連する送受信機回路３２は通常、いかなる資格においても移動機に送信しない。
【００２６】
いずれにせよ、コントローラ４０は、例えばマイクロプロセッサ、マイクロコントローラ、ＤＳＰ、ＡＳＩＣ、ＦＰＧＡ、または他の種類のデジタル処理回路などの１つまたは複数のデジタル処理回路としてたぶん実装され、その時点で指定されているサービングセクタに関して移動機１２が報告するチャネル品質情報を受信ないしは他の方法でアクセスする。例示的な実施形態では、ＣＱＩ値は、移動機１２からリバースリンクで送信されサービングセクタおよび非サービングセクタにおいて受信される。コントローラ４０は、移動機１２が報告する個別のＣＱＩ値ではなく平滑化したＣＱＩ値で動作してもよい。フィルタ回路４２はオプションによる選択で、到来するＣＱＩ値に例えば単純平均および指数重み付け等の望ましいフィルタ機能を適用するよう構成してもよい。
【００２７】
図４は、非サービングセクタのフォワードリンク送信電力制御を大まかに表しており、そこでは処理は、コントローラ４０が到来するＣＱＩ値ないしは他の方法で更新されるＣＱＩ値を待つことから始まる（ステップ１００）。ＣＱＩ値は、移動機１２が１０ミリ秒ごとなどの周期ベースで報告してもよい。もちろん、ＣＱＩ報告に関する詳細は採用するネットワーク標準に応じて変わり、そのような詳細が本発明を制限すると見なされるべきではない。
【００２８】
それにもかかわらず、更新されたチャネル品質情報を入手できる場合、その情報は非サービングセクタではなくサービングセクタを意図しているが、コントローラ４０はその報告されたチャネル品質情報に基づきフォワードリンク送信電力の適切な割り当てを決定する。図５は、サービングセクタＣＱＩに応じて非サービングフォワードリンク送信電力を設定する１つの実施形態を表している。
【００２９】
図５では、コントローラ４０は、報告されたサービングセクタＣＱＩに基づき、非サービングセクタのフォワードリンク送信電力の割り当てに対する下限を演算する（ステップ１０４）。非サービングセクタのフォワードリンク送信電力の下限を見つける機構として報告されたＣＱＩを使用することは、移動機１２に対して非サービングセクタはサービングセクタより無線状態が悪いという想定に基づいている。次いで、例えば移動機１２がどの無線基地局１６をそのアクティブセットに含めるかを決定するため使用する信号強度閾値に基づき、コントローラ４０は、非サービングセクタのフォワードリンク送信電力に対する上限を演算する。（ステップ１０６）。
【００３０】
次いでコントローラ４０は、デジタルおよびアナログの両方またはいずれか一方の形式の１以上の電力制御信号を生成し、その関連する送受信機回路３２から移動機１２に送信中の１つまたは複数のフォワードリンク信号に対するフォワードリンク送信電力の割り当てを設定する（ステップ１０８）。制御信号は、望ましい電力制御を達成するため、送受信機回路３２の特定の送信機構成要素を制御するのに使用することができる。
【００３１】
電力制御信号は、フォワードリンク送信電力の割り当てを上限と下限の間の値に設定するよう演算してもよい。１つの実施形態では、報告されたＣＱＩは電力の下限を決定するのに使用され、アクティブセットの信号強度の閾値は上限の決定に使用され、コントローラ４０は、フォワードリンク送信電力の割り当てをその両境界の間の中間値に決定する。別の方法として、コントローラ４０は、フォワードリンク送信電力割り当て計算で達する下限に「余裕（マージン）」を加えてもよい。例えば、コントローラ４０はサービングセクタＣＱＩに基づき下限を計算し、次いでその値より何割か高く、例えば２０％高く、非サービングセクタの電力を設定してもよい。
【００３２】
その目的のために、非サービングセクタとサービングセクタが同じ無線基地局１６に属する場合、すなわち、非サービング送受信機回路３２とサービング送受信機回路３２がかかわるソフター・ハンドオフ条件の場合、非サービングセクタ送受信機回路３２はサービングセクタの目標パイロット強度電力に都合よくアクセスする。その電力は、報告されたＣＱＩから直接サービングセクタ送受信機回路３２で計算される。また、ソフター・ハンドオフ条件がなくても、サービング無線基地局１６は移動機１２に対する目標パイロット強度情報を基地局コントローラ１８に報告するよう構成できる。次いで、基地局コントローラ１８は、非サービングセクタ無線基地局１６のそれぞれにその情報を伝えることができる。
【００３３】
さらに、各非サービングセクタは移動機１２に種類の異なるフォワードリンク・チャネル信号を送信してもよいこと、およびこれらのチャネルは異なる優先順位を有してもよいことにも留意すべきである。例えば、本文書中で以前それとなく触れておいたように、非サービングセクタから低すぎる電力でＡＣＫ／ＮＡＫチャネル信号を送信する結果として、移動機１２による不要なデータ再送信を引起す可能性がある。さらに、移動機１２が１つまたは複数の非サービングセクタが送信中のＦ−ＲＣＣＨ信号のリバースリンク・レート制御コマンドを適切に受信できない場合、全体的な負荷制御を達成するのに必要とされる移動機データ転送速度を上げたり下げたりするネットワークの試みに十分にこたえていない。
【００３４】
その場合は、各非サービングセクタのフォワードリンク送信電力に対する下限を決定し、次いで、その下限およびチャネル優先度の仕組から決定される電力レベルで１つまたは複数のフォワードリンク送信チャネル信号を送信することは道理にかなっているだろう。例えば、より重要なチャネルまたは所与のチャネルに対するより重要なコマンドの種類は、重要さの劣るチャネルまたは重要さの劣るコマンドに対するよりも、下限に対してより高い電力余裕を加えて送信することができる。
【００３５】
コマンドの優先順位付けの例として、本発明は、所与のフォワードリンク・チャネルで送信される特定のコマンドの「重要さ」を前提として、異なる送信電力レベルを備えている。例えば、リバースリンク・レート制御に関して、「ダウン」コマンドは、ネットワークの安定および運用に関して「アップ」コマンドより高い価値がある。これに基づき、１つまたは複数のフォワードリンク・チャネルについてのある種のコマンドは、重要さの劣るコマンドに使用されるより、電力下限に対してより高い電力で非サービングセクタから送信してもよい。
【００３６】
上記実装の柔軟性を考慮して、例示的な非サービングセクタのフォワードリンク送信電力制御の数値を持つより詳細な例を検討する。移動機１２におけるサービングセクタのパイロット・チャネル対干渉波（Ｃ／Ｉ）比は−８ｄＢであると仮定し、さらに移動機１２における所与の非サービングセクタに対するパイロットＣ／Ｉは−１０ｄＢであると仮定する。Ｆ−ＲＣＣＨに対する処理利得が１２８＝２１ｄＢである場合、ＲＣＣＨ／パイロット比０ｄＢに対して、ＲＣＣＨ受信シンボルのＳＮＲはサービングセクタに対して（−８ｄＢ＋０ｄＢ＋２１ｄＢ）＝１３ｄＢになり、非サービングセクタに対しては（−１０ｄＢ＋０ｄＢ＋２１ｄＢ）＝１１ｄＢになる。
【００３７】
必要とされるシンボルＳＮＲが７ｄＢの場合、理想的にはＲＣＣＨ／パイロット比はサービングセクタで−６ｄＢに調整し、非サービングセクタで−４ｄＢに調整すべきである。しかし、非サービングセクタは移動機が受信したそのパイロットＣ／Ｉが−１０ｄＢであることを知らない。移動機１２からのＣＱＩ報告は、移動機１２で受信したサービングセクタのパイロット信号の品質だけを表すからである。しかし、非サービングセクタは、移動機１２が認めるそのパイロットＣ／Ｉが移動機のアクティブセットの中に無線基地局を入れるのに使用される閾値より少なくとも上にあることを知っている。すなわち、非サービングセクタ無線基地局１６は移動機のアクティブセットの現時点のメンバであるので、非サービングセクタ無線基地局１６は、移動機１２がアクティブセット信号強度閾値と同じまたはもっと強い非サービングセクタ・パイロット信号を受信していることを少なくとも知っている。移動機１２が無線基地局１６をそのアクティブセット加える閾値を、ここではＴ＿ＡＤＤと表わすと、例示的な値はＴ＿ＡＤＤ＝−１４ｄＢである。
【００３８】
従って、安全余裕のため、非サービングセクタは、移動機１２に送信している１つまたは複数のチャネルに対するフォワードリンク送信電力割り当てを、単にＴ＿ＡＤＤレベルに設定することができる。サービングの状態から非サービングの状態に移されるセクタに関しては、フォワードリンク送信電力割り当ては当初、サービングセクタの状態の間に報告された最後のＣＱＩ値に基づくか、またはサービングセクタの期間中に報告されたＣＱＩをフィルタした値に基づくことができる。次いで、非サービングセクタになった後、対応するコントローラ４０は、フォワードリンク送信電力割り当てを、前のチャネル品質情報により規定された下限からＴ＿ＡＤＤ閾値により規定された上限のほうへ徐々に上げてゆくことができる。
【００３９】
従って、サービングセクタ送受信機３２回路は、例えばＦ−ＲＣＣＨ／パイロット電力比を設定するため、セクタのパイロット電力に対してある割合に基づき１つまたは複数のそのフォワードリンク・チャネル電力割り当てを設定するであろう。そのパイロット電力は、サービングセクタに関して報告されたＣＱＩから直接決定される。次いで、そのセクタの状態が非サービングに移る場合、送受信機回路３２はフォワードリンク送信電力をＴ＿ＡＤＤ上限のほうへ、または上記の方法のどれかに従ってその時点のＣＱＩから計算される下限またはその上のある点に向けて、上げ始めることができる。
【００４０】
上記変形形態を考慮して、本発明は、同じ無線基地局１６に含まれていることもあり含まれていないこともあるサービングセクタ送受信機回路３２に関し移動機１２が報告するチャネル品質情報に基づき、無線基地局１６が非サービングセクタ送受信機回路３２を含むフォワードリンク送信電力を設定する機構を広く提供することを、当業者なら理解するであろう。例示的な実施形態では、非サービングセクタのフォワードリンク送信電力制御範囲の下限は、報告されたＣＱＩ値から見積もられる。必要な場合、非サービングセクタのフォワードリンク送信電力制御範囲の上限は、アクティブセット信号強度閾値に基づき設定できる。従って、非サービング無線基地局１６は、そのような制御に基づき移動機１２を意図した１つまたは複数のフォワードリンク・チャネル信号の送信電力を設定できる。
【００４１】
上記詳細のように、フォワードリンク送信電力割り当て方法の１つの実施形態は、下限と上限の平均値に送信電力レベルを設定することである。別の実施形態では、非サービング無線基地局１６は、指定のパラメータに基づき下限と上限の間にそのフォワードリンク送信電力レベルを設定する。パラメータは、実地試験およびセクタ荷重条件等に基づき調整できる。さらに、パラメータは計量（スケール）メトリックとして決定してもよく、そこでは非サービング無線基地局１６は、サービングセクタがフォワードリンク送信電力設定を行うために報告されるチャネル品質情報を使用し、次いで、メトリックに従ってその設定を計量する。
【００４２】
例えば、本文書中で先に述べたように、非サービング無線基地局１６は、サービングセクタの目標パイロット信号強度情報にアクセスしてもよいし、さもなければ非サービングセクタおよびサービングセクタの相対的な無線状態を表すのに使用できる情報にアクセスしてもよい。その情報を持って、非サービング送受信機回路３２は、移動機１２における望ましい信号強度を達成するために、そのフォワードリンク送信電力をどのくらい大きくする必要があるかを計算することができる。
【００４３】
別の実施形態では、電力制御は、非サービングセクタが送信するレート制御コマンドが移動機１２により何回妨害されたかの追跡に基づくことができる。例えば、移動機１２が非サービング送受信機回路３２から送信されるレート制御コマンドに誤って応答する回数が、その送受信機回路３２のフォワードリンク送信電力が低すぎるかどうかの目安として使用できる。その実施形態でさえ、上記の非サービングセクタフォワードリンク送信電力制御用の上限および下限を電力制御範囲を限定するため使用してもよい。
【００４４】
従って、本発明は、特定の無線基地局ハードウェアおよびソフトウェアまたは非サービングセクタフォワードリンク送信電力制御の特定の実施形態に依存しないことは理解されるべきである。それどころか、本発明は、１台または複数台の非サービングセクタ無線送信機のフォワードリンク送信電力を設定するため、移動機が報告するサービング無線基地局セクタ送信機に関するチャネル品質情報の使用を広く網羅する。そのようなものであるから、本発明は前述の検討により限定されるものではなく、以下の特許請求の範囲およびその妥当な均等物だけにより限定される。
【図面の簡単な説明】
【００４５】
【図１】本発明の１つ以上の実施形態に従って構成された無線通信ネットワークを示す図である。
【図２】図１のネットワークの無線基地局の例示的な詳細図である。
【図３】本発明の１つ以上の実施形態に従ってフォワードリンクの送信電力制御を実行するよう構成された例示的な無線基地局の処理回路を示す図である。
【図４】図１のネットワークの非サービングセクタにおける例示的なフォワードリンクの送信電力制御の処理を示す図である。
【図５】本発明の１つの実施形態による非サービングセクタのフォワードリンクの送信電力設定の例示的な処理の詳細を示す図である。
【図１】
2007535867.tif 000003
【図２】
2007535867.tif 000004
【図３】
2007535867.tif 000005
【図４】
2007535867.tif 000006
【図５】
2007535867.tif 000007
【国際調査報告】
2007535867.tif 000008
2007535867.tif 000009